(57)【要約】【課題】解読した受信信号に関するデータを記録媒体に蓄積して記録し、異常の発生時に原因の特定に利用するデータを提示する。【解決手段】二次監視レーダ２又は航空機３に搭載されるATCトランスポンダ３１から送信される信号を受信する受信手段１２１と、受信された信号を解読する解読手段１２２，１３と、信号の解読の結果を記録媒体１６に記録させる記録処理手段１５２とを備える。【選択図】  図１
2008256406.tif 000002
【特許請求の範囲】
【請求項１】
二次監視レーダから送信される信号を受信し、前記二次監視レーダの信号の動作を監視するレーダパフォーマンスモニタ装置であって、
二次監視レーダ又は航空機に搭載されるATCトランスポンダから送信される信号を受信する受信手段と、
受信された前記信号を解読する解読手段と、
前記信号の解読の結果を記録媒体に記録させる記録処理手段と
を備えることを特徴とするレーダパフォーマンスモニタ装置。
【請求項２】
前記信号の解読の結果を表示させる表示処理手段を有することを特徴とする請求項１記載のレーダパフォーマンスモニタ装置。
【請求項３】
前記解読手段は、前記信号の内容、パルス幅及びパルス間隔を解読することを特徴とする請求項１又は２記載のレーダパフォーマンスモニタ装置。
【請求項４】
前記記録処理手段は、前記解読の結果とともに前記信号を受信した時刻情報を記録させることを特徴とする請求項１乃至３いずれか記載のレーダパフォーマンスモニタ装置。
【発明の詳細な説明】
【技術分野】
【０００１】
本発明は、二次監視レーダ及びATCトランスポンダから送信される信号を受信し、二次監視レーダの動作を監視するレーダパフォーマンスモニタ装置に関する。
【背景技術】
【０００２】
航空管制には、規格化された二次監視レーダ（SSR：Secondary Surveillance Radar）が利用されている（例えば、非特許文献１）。
【０００３】
SSRを利用するシステムでは、図３に示すようにSSR２と航空機３に搭載されるATCトランスポンダ３１とで送受信される質問信号や応答信号を利用して、航空管制が行われている。
【０００４】
このようなシステムでは安全な航空路を確保するために、信号の送受信の確実性が要求される。従来、SSR２における動作（信号の送受信）を検査するため、レーダパフォーマンスモニタ装置（RPM：Radar Performance Monitor）１で受信される信号を利用する方法があった。
【０００５】
従来のRPM１ａの一例を図４に示す。RPM１ａでは、受信器１０３は、アンテナ１０１及び減衰器１０２を介して信号を受信すると、受信した信号が質問信号である場合、この質問信号を質問解読器１０４に出力する。質問解読器１０４は、質問信号を解読した結果を応答発生器１０５へ出力する。応答発生器１０５は、質問信号に対して応答信号の送信が必要である場合には応答信号を生成し、送信器に出力する。応答信号を入力した送信器１０６は、減衰器１０２及びアンテナ１０１を介して応答信号を送信する。
【０００６】
また、受信器１０３は、対象とするSSR２から信号を受信すると、SSR２から信号を受信したことを通知する受信通知を通信I/F１０７を介して監視装置４へ出力する。一方、SSR２は、信号を送受信すると、送受信した信号に関する送受信内容を監視装置４へ出力する。従来のRPM１ａを利用したシステムでは、監視装置４は図３に示すように、SSR２から出力された送受信内容と、RPM１ａから出力された受信通知とが入力され、入力した送受信内容と受信通知とを比較してSSR２における信号の送受信の異常を監視していた。
【０００７】
SSRにおける信号の送受信の状態を監視する他の方法として、擬似信号を用いて信号の受信を確認する技術や（例えば、特許文献１参照）、SSRで信号を解析する技術がある（例えば、特許文献２参照）。
【特許文献１】特開２００３−２４０８４７号公報
【特許文献２】特開２００７−１０５８２号公報
【非特許文献１】ICAO、「Aeronautical Telecommunications  Annex 10 VolumeIV Surveillance Rader and Collision Avoidance System」、1998年7月
【発明の開示】
【発明が解決しようとする課題】
【０００８】
図３及び図４を用いて上述したような従来のRPM１ａを用いたSSR２の監視システムでは、SSR２から信号を受信した場合にRPM１ａから出力される通知信号のみが利用されている。したがって、RPM１ａが対象とするSSR２以外から信号を受信した場合には通知信号は出力されない。
【０００９】
このように、従来のRPM１ａを用いた監視システムでは、監視装置４がSSR２の動作を監視に用いる他には利用されていない。したがって、RPM１ａでは、他局のSSRから送信される信号や航空機に搭載されるATCトランスポンダから送信される信号も受信しているが、他局のSSRの干渉、滞空航空機のATCトランスポンダからの質問信号による干渉等で送受信の異常が発生していても、その原因までを特定することは困難であるという問題があった。また、特許文献１及び２に記載の技術であっても、送受信の異常の原因を特定することはできないという問題がある。
【００１０】
従って本発明は、上記課題に鑑み、解読した受信信号に関するデータを蓄積して記録し、異常の発生時に原因の特定に利用するデータを提示することのできるレーダパフォーマンスモニタ装置を提供する。
【課題を解決するための手段】
【００１１】
本発明の特徴に係るレーダパフォーマンスモニタ装置は、二次監視レーダから送信される信号を受信し、二次監視レーダの信号の動作を監視するレーダパフォーマンスモニタ装置であって、二次監視レーダ又は航空機に搭載されるATCトランスポンダから送信される信号を受信する受信手段と、受信された信号を解読する解読手段と、信号の解読の結果を記録媒体に記録させる記録処理手段とを備える。
【００１２】
上記レーダパフォーマンスモニタ装置は、信号の解読の結果を表示させる表示処理手段を有することができる。
【００１３】
上記レーダパフォーマンスモニタ装置の解読手段は、信号の内容、パルス幅及びパルス間隔を解読する。
【００１４】
上記レーダパフォーマンスモニタ装置の記録処理手段は、解読の結果とともに信号を受信した時刻情報を記録させることができる。
【発明の効果】
【００１５】
本発明によれば、解読した受信信号に関するデータを蓄積して記録し、異常の発生時に原因の特定に利用するデータを提示するレーダパフォーマンスモニタ装置を提供することができる。
【発明を実施するための最良の形態】
【００１６】
本発明の最良の実施形態に係るレーダパフォーマンスモニタ装置（RPM）１は、二次監視レーダ（SSR）で送受信される信号の状態をモニタする装置であって、図３で示した従来のシステムと同様に、二次監視レーダ（SSR）２、SSR２と通信可能な航空機３、SSR２及び航空機３を監視する監視装置４とともに用いられる。
【００１７】
RPM１は、SSR２から送信される質問信号を受信し、受信した質問信号に対して応答信号を送信することができる。また、RPM１は、航空機３に搭載されるトランスポンダ３１から送信される応答信号を受信する。
【００１８】
このRPM１は、信号を受信すると、信号を受信した旨を通知する受信通知を監視装置４に出力する。また、SSR２は、信号を送受信すると、送受信した信号の内容を通知する送受信内容を監視装置４に出力する。監視施設では、監視装置４で入力する送受信内容に基づいて航空管制が行われるとともに、送受信内容及び受信通知に基づいて、SSR２の通信状態及び監視空域における通信状態が監視される。
【００１９】
RPM１は、受信通知の送信に加えて、受信した信号を解読し、解読の結果を記録媒体に蓄積して記録させる。RPM１に蓄積された解読の結果を必要になった場合（例えば、SSR２の通信状態が異常と判定された場合）に読み出して利用することで、監視空域における通信障害の原因を特定することができる。RPM１は、信号を受信して解読するとともに解読した信号を蓄積するため、図１に示すように、アンテナ１１、信号処理器１２、応答解読器１３、時刻発生器１４、処理器１５、通信インタフェース（通信I/F）１６、表示装置１７及び記録媒体１８を備えている。
【００２０】
また、信号処理器１２は、受信器１２１、質問解読器１２２、応答発生器１２３及び送信器１２４を有している。この信号処理器１２の構成は、図４を用いて上述した従来のRPMで利用されるATCトランスポンダの構成と同一である。
【００２１】
受信器１２１は、アンテナ１１を介してSSR２及びトランスポンダ２１から送信された信号を受信する。信号を受信した受信器１２１は、質問信号を質問解読器１２２に出力し、応答信号を応答解読器１３に出力する。
【００２２】
質問解読器１２２は、入力した質問信号の解読の結果を応答発生器１２３に出力するとともに、処理器１５に出力する。質問解読器１２２は、例えば、質問信号から質問信号を送信したSSRを特定するとともに、パルス幅、パルス間隔、質問の種類、質問の内容等を解読する。
【００２３】
応答発生器１２３は、入力した質問信号の解読の結果から質問信号に対する応答信号を生成し、生成した応答信号を送信器１２４に出力するとともに、処理器１５に出力する。
【００２４】
応答解読器１３は、入力した応答信号の解読の結果を処理器１５に出力する。応答解読器１３は、例えば、応答信号から応答信号を送信したSSRを特定するとともに、パルス幅、パルス間隔、質問の種類、質問の内容等を解読する。
【００２５】
時刻発生器１４は、現在の日時をカウントし、処理器１５に出力している。
【００２６】
処理器１５は、特定領域内の信号の送受信状態を把握するための質問信号及び応答信号の受信結果の記録データを生成して記録し、出力するため、生成手段１５１、記録処理手段１５２、表示処理手段１５３及び通信処理手段１５４を有している。
【００２７】
生成手段１５１は、質問解読器１２２又は応答解読器１３から解読の結果を入力すると、時刻発生器１４から入力した現在の日時に解読の結果を関連付けて記録データを生成する。このとき、既に記録媒体１６に記録データが記録されている場合、記録媒体１６に記録されている記録データに受信信号に関する日時と解読の結果を追加した新たな記録データを生成する。記録処理手段１５２は、生成手段１５１によって生成された記録データを記録媒体１６に記録させる。
【００２８】
生成手段１５１によって、生成され記録処理手段１５２によって記録媒体１６に記録される記録データの一例を図２に示す。図２に示す記録データでは、日時（日付及び時刻）、信号が質問信号であるか応答信号であるかの種別、信号のパルス幅、信号のパルス間隔、信号の種類及び信号の解読結果及び解読前のデータ内容がリストされている。
【００２９】
表示処理手段１５３は、記録データを表示装置１７に表示させる。例えば、表示処理手段１５３は、生成手段１５１によって新たな記録データが生成される毎に表示装置１７に新たな記録データを表示し、常に最新の記録データを表示させてもよい。また例えば、表示処理手段１５３は、操作手段１９から入力される表示のリクエストにしたがって、記録媒体１６から記録データを読み出して表示させてもよい。
【００３０】
通信処理手段１５４は、質問解読器１２２又は応答解読器１３から、解読の結果を入力すると、通信I/F１８を介して、監視装置４に信号を受信した旨を通知する受信通知を送信する。なお、必要に応じて、通信処理手段１５４は、記録媒体１６に記録されている記録データを送信してもよい。
【００３１】
上述した本発明の最良の実施形態に係るレーダパフォーマンスモニタ装置１によれば、受信した信号を解読した結果から、受信信号に関する記録データを生成し、記録媒体１６に記録する。記録媒体１６に記録されている記録データを必要になった場合に参照することで、SSR２での通信の異常の原因を特定することができる。
【００３２】
また、特定のSSRと組み合わせなくとも本発明のレーダパフォーマンスモニタ装置１を単体で運用することにより、航空管制に用いられる電波環境のモニタリングにも使用できる。
【００３３】
上記のように、本発明を各実施の形態によって記載したが、この開示の一部をなす論述および図面はこの発明を限定するものであると理解すべきではない。この開示から当業者には様々な代替実施形態、実施例および運用技術が明らかとなる。
【００３４】
本発明はここでは記載していない様々な実施形態等を含むことは勿論である。従って、本発明の技術的範囲は上記の説明に記載した事項と自明な特許請求の範囲に係る発明特定事項によってのみ定められるものである。
【図面の簡単な説明】
【００３５】
【図１】本発明の最良の実施形態に係るレーダパフォーマンスモニタ装置の構成を説明する機能ブロック図である。
【図２】図１のレーダパフォーマンスモニタ装置で生成される記録データの一例である。
【図３】従来のレーダパフォーマンスモニタ装置を備えるシステムの一例である。
【図４】従来のレーダパフォーマンスモニタ装置の構成を説明する機能ブロック図である。
【符号の説明】
【００３６】
１…レーダパフォーマンス装置（RPM）
１０…受信機
１１…アンテナ
１２…信号処理器
１２１…受信器（受信手段）
１２２…質問解読器（解読手段）
１２３…応答発生器
１２４…送信器
１３…応答解読器（解読手段）
１４…時刻発生器
１５…処理器
１５１…生成手段
１５２…記録処理手段
１５３…表示処理手段
１５４…通信処理手段
１６…記録媒体
１７…表示装置
１８…記録媒体
１９…操作手段
１５１…生成手段
１５２…記録処理手段
１５３…表示処理手段
１５４…通信処理手段
２…二次監視レーダ（SSR）
３…航空機
３１…トランスポンダ
４…監視装置
【図１】
2008256406.tif 000003
【図２】
2008256406.tif 000004
【図３】
2008256406.tif 000005
【図４】
2008256406.tif 000006